(57)【要約】【課題】空調機のグルーピングと電力計のグループピングの対応如何に関わらず、室内機の消費電力を正確に求めること。【解決手段】室内機４１と室外機４２との運転制御を行うとともに運転量情報を取得する空調制御監視装置Ｇ１，Ｇ２，Ｇ３と、空調制御監視装置Ｇ１〜Ｇ３を相互に接続するネットワーク５と、室内機４１及び室外機４２をグルーピングして構成された１以上のグループに設けられ、グループの消費電力量を計測して出力する電力計測部３０Ａ，３０Ｂとを備え、各空調制御監視装置Ｇ１〜Ｇ３が配下の室内機４１の運転量情報と消費電力量情報とをネットワーク５を介して他の空調制御監視装置Ｇ１〜Ｇ３に送信するとともに、他の空調制御監視装置Ｇ１〜Ｇ３から送られてきた運転量情報及び消費電力量情報を受信し、全運転量情報及び全消費電力量情報に基づいて配下の室内機４１の消費電力量を算出する。【選択図】図１
2011047564.tif 000002
【特許請求の範囲】
【請求項１】
室内機と室外機とを備える空気調和機の運転制御を行うとともに運転量情報を取得する複数の空調制御監視装置と、
クライアント端末と、
これら複数の前記空調制御監視装置を相互に接続するとともに、前記クライアント端末と各前記空調制御監視装置とを相互に接続する第１ネットワークと、
前記室内機と対応する前記空調制御監視装置とを相互に接続する第２ネットワークと、
前記室内機及び前記室外機をグルーピングして構成された１以上のグループに設けられ、該グループの消費電力量を計測して、いずれかの前記空調制御監視装置に入力する電力計測手段とを備え、
前記電力計測手段は、自身が設けられたグループを構成している室内機及び室外機を配下に持つ空調制御監視装置か否かにかかわらず、任意の一つの空調制御監視装置にグループの消費電力量を入力し、
各前記空調制御監視装置は、前記第２ネットワークを介して収集した配下の前記空気調和機の各前記室内機の運転量情報と、前記電力計測手段から入力された消費電力量情報とを前記第１ネットワークを介して他の前記空調制御監視装置に送信するとともに、前記第１ネットワークを介して他の前記空調制御監視装置から送られてきた運転量情報及び消費電力量情報を受信することで、各前記空調制御監視装置間でそれぞれが保有する運転量情報と消費電力量情報とを交換し合うことで連携し、自身が保有する配下の運転量情報と消費電力量情報、および他の空調制御監視装置から受信した運転量情報と消費電力量情報を用いて、配下の各前記室内機のみの消費電力量を算出し、
前記クライアント端末は、必要に応じて、消費電力を取得したい室内機を配下に持つ特定の空調制御監視装置から該室内機の消費電力量の算出結果を読み出す
空調制御監視システム。
【請求項２】
前記空調制御監視装置は、ＷＥＢブラウザで読み取り可能な形式で、消費電力量を前記クライアント端末に出力する請求項１に記載の空調制御監視システム。
【請求項３】
複数の前記電力計測手段がある場合に、各前記電力計測手段は、最も近くに配置されている前記空調制御監視装置に対して、電力消費量を入力する請求項１または請求項２に記載の空調制御監視システム。
【請求項４】
室内機と室外機とを備える空気調和機の運転制御を行うとともに運転量情報を取得する複数の空調制御監視装置と、クライアント端末と、これら複数の空調制御監視装置を相互に接続するとともに、クライアント端末と相互に接続する第１ネットワークと、前記室内機と対応する前記空調制御監視装置とを相互に接続する第２ネットワークとを備える空調制御監視システムの監視方法であって、
前記室内機及び前記室外機をグルーピングして構成された１以上のグループの消費電力量を計測して、グループを構成している室内機及び室外機を配下に持つ空調制御監視装置か否かにかかわらず、任意の一つの空調制御監視装置にグループの消費電力量を入力し、
各前記空調制御監視装置は、前記第２ネットワークを介して収集された配下の前記空気調和機の各前記室内機の運転量情報と消費電力量情報とを前記第１ネットワークを介して他の前記空調制御監視装置に送信するとともに、前記第１ネットワークを介して他の前記空調制御監視装置から送られてきた運転量情報及び消費電力量情報を受信することで、各前記空調制御監視装置間でそれぞれが保有する運転量情報と消費電力量情報とを交換し合うことで連携し、自身が保有する配下の運転量情報と消費電力量情報、および受信した運転量情報と消費電力量情報を用いて、自身の配下の室内機のみの消費電力量を算出し、
前記クライアント端末は、消費電力を取得したい室内機を配下に持つ特定の空調制御監視装置から該室内機の消費電力量の算出結果を読み出す
空調制御監視システムの監視方法。
【発明の詳細な説明】
【技術分野】
【０００１】
本発明は、複数台連携式空調消費電力按分計算システムに関するものである。
【背景技術】
【０００２】
１台の室外機に対して複数台の室内機が接続されるマルチ型空気調和装置が知られている。例えば、１台の室外機に対して２０台以上の室内機を接続することのできる大型のマルチ型空気調和装置では、複数のテナントにより室内機が使用される場合も少なくない。このような場合、室外機で使用された電気料金については、各室内機の消費電力等で室外機の電気料金を按分し、これに基づいて各テナントの電気料金を決定することが提案されている。
【０００３】
特許文献１には、複数の空調ユニットを含む空調ブロックを複数設けた空調システムにおいて、空調運転の情報を集約させた集中管理部から各空調ユニットに運転指令を送出する方法が開示されている。また、特許文献２には、建物のフィーダにより測定した使用電力量を按分することによってフィーダに接続された負荷の電力量を按分する方法が開示されている。
【０００４】
一般には、マルチ型空気調和装置の室内機が複数のテナントに割り当てられた場合に、テナント毎の電気料金を求めるには、マルチ型空気調和装置の室内機及び室外機の消費電力を電力計によって計測し、電力計による計測結果を、マルチ型空気調和装置を監視する空調制御監視装置において按分している。つまり、空調制御監視装置は、配下の室内機に対する消費電力の按分を行っている。
【先行技術文献】
【特許文献】
【０００５】
【特許文献１】特開平３−２６３５４２号公報
【特許文献２】特開２００７−３３３０５号公報
【発明の概要】
【発明が解決しようとする課題】
【０００６】
しかしながら、大規模な物件において空調制御監視装置が複数設置されるような場合には、１つのテナントに異なる空調制御監視装置の配下の室内機が設置されたり、電源設備の都合上、配下とする室内機が異なる電源系統に接続されたりすることがあり、共通の空調制御監視装置に接続されるマルチ型空気調和装置毎に電力計を設置することが困難な場合がある。
【０００７】
このような場合には、従来の空調制御監視装置は、配下とする室内機及び室外機の消費電力を把握できず、したがって、テナント毎の消費電力量を正確に求めることができないという不都合がある。
【０００８】
本発明は、このような事情に鑑みてなされたものであって、空調機のグルーピングと電力計のグルーピングの対応如何に関わらず、室内機の消費電力を正確に求めることができる空調制御監視システム及びその監視方法を提供することを目的とする。
【課題を解決するための手段】
【０００９】
上記課題を解決するために、本発明の空調制御監視システムは以下の手段を採用する。
本発明は、室内機と室外機とを備える空気調和機の運転制御を行うとともに運転量情報を取得する複数の空調制御監視装置と、クライアント端末と、これら複数の前記空調制御監視装置を相互に接続するとともに、前記クライアント端末と各前記空調制御監視装置とを相互に接続する第１ネットワークと、前記室内機と対応する前記空調制御監視装置とを相互に接続する第２ネットワークと、前記室内機及び前記室外機をグルーピングして構成された１以上のグループに設けられ、該グループの消費電力量を計測して、いずれかの前記空調制御監視装置に入力する電力計測手段とを備え、前記電力計測手段は、自身が設けられたグループを構成している室内機及び室外機を配下に持つ空調制御監視装置か否かにかかわらず、任意の一つの空調制御監視装置にグループの消費電力量を入力し、各前記空調制御監視装置は、前記第２ネットワークを介して収集した配下の前記空気調和機の各前記室内機の運転量情報と、前記電力計測手段から入力された消費電力量情報とを前記第１ネットワークを介して他の前記空調制御監視装置に送信するとともに、前記第１ネットワークを介して他の前記空調制御監視装置から送られてきた運転量情報及び消費電力量情報を受信することで、各前記空調制御監視装置間でそれぞれが保有する運転量情報と消費電力量情報とを交換し合うことで連携し、自身が保有する配下の運転量情報と消費電力量情報、および他の空調制御監視装置から受信した運転量情報と消費電力量情報を用いて、配下の各前記室内機のみの消費電力量を算出し、前記クライアント端末は、必要に応じて、消費電力を取得したい室内機を配下に持つ特定の空調制御監視装置から該室内機の消費電力量の算出結果を読み出す空調制御監視システムを提供する。
【００１０】
このような構成によれば、各空調制御監視装置は、その配下において運転制御している室内機の運転量情報を第２ネットワークを介して取得するとともに、第１ネットワークを介して送られてくる他の全ての空調制御監視装置が配下としている室内機の運転量情報を取得する。また、室内機及び室外機をグルーピングして構成されたグループに設けられている電力計測手段により計測されたグループを構成する室内機及び／又は室外機の消費電力量は、電力計測手段によって直接的に、あるいは第１ネットワークを介して間接的に、各空調制御監視装置によって取得される。
【００１１】
全ての室内機及び全ての室外機をグルーピングし、１つのグループとした場合には、単一の電力計によって測定された室内機及び室外機の全消費電力量が、空調制御監視装置に送られ、さらに他の空調制御監視装置に送信される。また、室内機及び室外機を複数のグループにグルーピングした場合には、それぞれのグループに設けられる電力計によって測定された消費電力量が空調制御監視装置に送られ、さらに空調制御監視装置間でそれぞれが取得した消費電力量の情報が送受信される。
【００１２】
したがって、空調制御監視装置間で情報の交換が行われるので、各空調制御監視装置は、全ての室内機の運転量情報と、全ての室内機及び室外機の全消費電力量とを取得する。室外機の消費電力量は、室内機の運転量情報によって決定されるので、各空調制御監視装置は、配下の室内機の運転量情報を全室内機の運転量情報で按分することで、配下の各室内機の消費電力量を容易に正確に算出することができる。
【００１３】
この場合において、各空調制御監視装置が配下とする室内機及び室外機のグループと、消費電力量を計測するグループとが異なっていたとしても、あるいは室内機及び室外機のグルーピングの変更や空気調和機の追加等が生じたとしても、各空調制御監視装置は、全ての室内機の運転量情報と全消費電力量とを取得できる。これにより、各空調制御監視装置は、電力計測手段を設置するグループが、配下とする室内機及び室外機から切り離して設定されたとしても、各室内機の消費電力量を正確に算出できる。
【００１４】
上記空調制御監視システムの空調制御監視装置は、ＷＥＢブラウザで読み取り可能な形式で、消費電力量を前記クライアント端末に出力することとしてもよい。
これにより、クライアント端末にＷＥＢブラウザがあれば、簡便に消費電力量を表示することができる。
【００１５】
複数の前記電力計測手段がある場合に、上記の空調制御監視システムの各前記電力計測手段は、最も近くに配置されている前記空調制御監視装置に対して、電力消費量を入力することとしてもよい。
電力計測手段として一般的な電力計を用いる場合には、カウンターパルス信号が到達可能な距離は最大２００メートル程度である。従って、電力計測手段と該電力計測手段から電力消費量が通知される空調制御監視装置との間の距離を可能な限り近づける（２００メートル以下とする）ことで、複数のマルチ型空気調和機で構成されるような大型化されたシステムであっても、一般的な電力計を用いることが可能となる。
【００１６】
本発明は、室内機と室外機とを備える空気調和機の運転制御を行うとともに運転量情報を取得する複数の空調制御監視装置と、クライアント端末と、これら複数の空調制御監視装置を相互に接続するとともに、クライアント端末と相互に接続する第１ネットワークと、前記室内機と対応する前記空調制御監視装置とを相互に接続する第２ネットワークとを備える空調制御監視システムの監視方法であって、前記室内機及び前記室外機をグルーピングして構成された１以上のグループの消費電力量を計測して、グループを構成している室内機及び室外機を配下に持つ空調制御監視装置か否かにかかわらず、任意の一つの空調制御監視装置にグループの消費電力量を入力し、各前記空調制御監視装置は、前記第２ネットワークを介して収集された配下の前記空気調和機の各前記室内機の運転量情報と消費電力量情報とを前記第１ネットワークを介して他の前記空調制御監視装置に送信するとともに、前記第１ネットワークを介して他の前記空調制御監視装置から送られてきた運転量情報及び消費電力量情報を受信することで、各前記空調制御監視装置間でそれぞれが保有する運転量情報と消費電力量情報とを交換し合うことで連携し、自身が保有する配下の運転量情報と消費電力量情報、および受信した運転量情報と消費電力量情報を用いて、自身の配下の室内機のみの消費電力量を算出し、前記クライアント端末は、消費電力を取得したい室内機を配下に持つ特定の空調制御監視装置から該室内機の消費電力量の算出結果を読み出す空調制御監視システムの監視方法を提供する。
【発明の効果】
【００１７】
本発明は、空調機のグルーピングと電力計のグルーピングの対応如何に関わらず、室内機の消費電力を正確に求めるという効果を奏する。
【図面の簡単な説明】
【００１８】
【図１】本発明の一実施形態に係る空調制御監視システムの概略構成を示した図である。
【図２】本発明の一実施形態に係る空調制御監視システムの機能ブロック図である。
【図３】各空調制御監視装置間が情報を交換し合うことを説明するための図である。
【発明を実施するための形態】
【００１９】
以下に、本発明に係る空調制御監視システム（いわゆる、複数台連携式空調消費電力按分計算システム）の実施形態について図面を参照して説明する。
以下、本発明の一実施形態について、図１を用いて説明する。
図１に示されるように、空調制御監視システム１は、ＷＥＢブラウザ（図示略）が搭載されたクライアント端末２と、空気調和機（以下「空調機」という。）４の運転制御を行うとともに、運転量情報を取得する複数の空調制御監視装置Ｇ１，Ｇ２，Ｇ３とを備えている。なお、本実施形態においては、空調制御監視装置が３台であることとして説明するが、空調制御監視装置の個数は特に限定されない。
【００２０】
クライアント端末２と空調制御監視装置Ｇ１，Ｇ２，Ｇ３とは、ビル管理通信ネットワーク（第１ネットワーク）５を介して接続されている。ビル管理通信ネットワーク５は、標準規格化された通信プロトコル（例えば、ＴＣＰ／ＩＰ）を使用したネットワークであり、例えば、インターネットである。
また、空調制御監視装置Ｇ１，Ｇ２，Ｇ３は、配下に空調機４を備えており、空調制御監視装置Ｇ１，Ｇ２，Ｇ３と各空調機４とは空調制御ネットワーク（第２ネットワーク）６を介して接続されている。空調制御ネットワーク６は、空調機４の制御監視用に規格化された通信プロトコルを使用したネットワークである。
【００２１】
また、空調機４は、室内機４１−ｍｋ（ｍは空調制御監視装置の番号であり、ｍ＝１，２，３とする。ｋは空調制御監視装置配下の室内機番号であり、ｋ＝１，２，３，４とする。）、及び室外機４２−ｍ（ｍは空調制御監視装置の番号であり、ｍ＝１，２，３）を備えている。以下特に明記しない場合には、室内機は室内機４１、及び室外機は室外機４２として記述する。本実施形態においては、それぞれの空調制御監視装置Ｇ１，Ｇ２，Ｇ３は、空調機４を１つずつ備えており、各空調機４は、それぞれ室内機４１を４個、及び室外機４２を１個備えていることとして説明する。例えば、空調制御監視装置Ｇ１の配下の空調機４は、室内機４１−１１，４１−１２，４１−１３，４１−１４を備えている。なお、各空調機４が備える室内機４１及び室外機４２の個数はこれに限定されず、特に上限を設けない。
【００２２】
また、室内機４１及び室外機４２は、ビル内のテナント等の周囲の理由等に応じてグルーピングされ、各グループに電力計測部（電力計測手段）３０Ａ，３０Ｂが設けられている。本実施形態では、図１に示すように、空調制御監視システム１の室内機４１及び室外機４２は２つのグループＡ，Ｂにグルーピングされ、グループＡ，Ｂにはそれぞれ電力計測部３０Ａ，３０Ｂが設けられている。例えば、図１のグループＡに対して設けられる電力計測部３０Ａは、グループＡに属する室外機４２−１，４２−２の消費電力量を計測すると、消費電力量を示す情報として消費電力量情報（カウンターパルス計量情報）を空調制御監視装置Ｇ１に出力する。また、図１のグループＢに対して設けられる電力計測部３０Ｂは、グループＢに属する室外機４２−３及び全ての室内機４１における消費電力量情報を空調制御監視装置Ｇ３に出力する。
【００２３】
また、本実施形態においては、他の空調制御監視装置Ｇ２，Ｇ３においても同様の機能を備えているため、ここでは一例として、空調制御監視装置Ｇ１の動作に着目して説明する。図２に示されるように、空調制御監視装置Ｇ１は、電力量取得部３１、空調制御ネットワーク通信部３２、運転量算出部３３、第１情報管理部３４、第２情報管理部３５、電力量按分部３６、ＷＥＢサーバ３７、及びビル管理ネットワーク通信部３８を備えている。
【００２４】
空調制御ネットワーク通信部３２は、空調制御監視装置Ｇ１の配下の空調機４の運転状態の情報を取得し、運転量算出部３３に出力する。
運転量算出部３３は、空調機４の各室内機４１−１１，４１−１２，４１−１３，４１−１４の運転量を算出するとともに、算出された運転量情報を第１情報管理部３４に出力する。
【００２５】
電力量取得部３１は、電力計測部３０Ａから出力された消費電力量情報を取得するとともに、消費電力量情報を第１情報管理部３４に出力する。
第１情報管理部３４は、電力量取得部３１から出力された消費電力量情報と運転量算出部３３から出力された運転量情報とを対応付けて、電力量按分部３６に出力する。また、第１情報管理部３４は、対応付けた消費電力量情報と運転量情報とを、ビル管理ネットワーク通信部３８に出力する。
【００２６】
ビル管理ネットワーク通信部３８は、消費電力量情報と運転量情報とを他の空調制御監視装置Ｇ２及びＧ３に出力する。また、ビル管理ネットワーク通信部３８は、他の空調制御監視装置Ｇ２，Ｇ３から各空調制御監視装置Ｇ２、Ｇ３において同様に取得された消費電力量情報と運転量情報とを受信する。ビル管理ネットワーク通信部３８によって、受信した他の空調制御監視装置Ｇ２，Ｇ３の消費電力量情報と運転量情報は、それぞれの送信元が空調制御監視装置Ｇ２，Ｇ３であることを示す情報と対応付けられて、第２情報管理部３５に出力される。
空調制御監視装置間における通信に関しては、例えば、ｆｓｏｃｋ通信を採用することができる。
【００２７】
ｆｓｏｃｋ通信とは、例えば、ＰＨＰ言語によって実行可能な通信であり、ｆｓｏｃｋｏｐｅｎ関数を使用することにより、インターネット等のＩＰネットワークソケット接続をオープンにさせる。具体的には、空調制御監視装置Ｇ１において、予め他の空調制御監視装置Ｇ２，Ｇ３のアドレス情報（例えば、ＩＰアドレス等）を設定しておき、ｆｓｏｃｋｏｐｅｎコマンドによって、このアドレス情報のアドレスの規定のポート番号（例えば、８０等）をオープンにさせ、所定のファイルを取得する（例えば、ＧＥＴリクエストによりファイル取得等）。
なお、ｆｓｏｃｋｏｐｅｎ関数の技術については公知であるため、詳細な説明は省略する。
【００２８】
例えば、図３に示されるように、各空調制御監視装置Ｇ１，Ｇ２，Ｇ３は、配下の空調機４の室内機４１及び室外機４２の運転量情報Ｒｍｋ（ｍはｍ番目の空調制御監視装置であることを示す情報、ｋは１つの空調制御監視装置内のｋ番目の室内機であることを示す情報）と、電力計測部３０Ａ，３０Ｂから入力された消費電力量情報Ｗｍ（ｍは、ｍ番目の空調制御監視装置に入力される電力計測部からの消費電力量情報を示し、ｍ＝１，２，３とする。）とをビル管理通信ネットワーク５を介して他の空調制御監視装置Ｇ１，Ｇ２，Ｇ３に送信する。また、他の空調制御監視装置Ｇ１，Ｇ２，Ｇ３から送られてきた運転量情報Ｒｍｋ及び消費電力量情報Ｗｍを受信する。このように、各空調制御監視装置Ｇ１，Ｇ２，Ｇ３は、各空調制御監視装置間でそれぞれが保有する運転量情報Ｒｍｋ及び消費電力量情報Ｗｍを交換し合い、自身が保有する配下の運転量情報Ｒｍｋ及び消費電力量情報Ｗｍ、及び他の空調制御監視装置から受信した運転量情報Ｒｍｋ及び消費電力量情報Ｗｍを用いて、自身が保有する配下の室内機の消費電力量を算出する。
【００２９】
第２情報管理部３５は、他の空調制御監視装置Ｇ２，Ｇ３から取得した消費電力量情報と運転量情報とをそれぞれ対応づけて、電力量按分部３６に出力する。
電力量按分部３６は、全ての運転量情報及び全ての消費電力量情報に基づいて、配下の室内機４１の消費電力量を算出する。具体的には、第１情報管理部３４に格納されている空調制御監視装置Ｇ１が取得した運転量情報及び消費電力量情報と、第２情報管理部３５に格納されている他の空調制御監視装置Ｇ２及びＧ３から取得した運転量情報及び消費電力量情報とに基づいて、配下の各室内機４１の消費電力量を算出する。
【００３０】
より具体的には、以下の（１）式に基づいて各室内機の消費電力量の按分計算値Ｐｍｋを算出する。ここで、Ｒｍｋは運転量情報、ｍはｍ番目の空調制御監視装置であることを示す情報、ｋは１つの空調制御監視装置内のｋ番目の室内機であることを示す情報、Ｍは空調制御監視システムに設けられる空調制御監視装置の個数、Ｋｍはｍ番目の空調制御監視装置の配下の室内機の個数、Ｗｍはｍ番目の空調制御監視装置に入力される電力計測部からの消費電力量情報を示している。例えば、図１に示されるように、室内機４１−１１の運転量情報はＲ１１、消費電力量はＰ１１と示し、室内機４１−２２の運転量情報はＲ２２、消費電力量はＰ２２のように示す。
【００３１】
【数１】
2011047564.tif 000003
【００３２】
次に、按分に用いられる運転量情報について、簡単に説明する。運転量情報の算出方法は、特に限定されないが、ここでは一例として２つの方法を説明する。
第１の方法は、冷媒流量によって運転量情報を算出する。
ビルに設置される空調制御監視システム１の空調機４では、冷媒回路モジュールを構成する室外機４２と室内機４１が協調して各部屋（テナント）の空調を行う。室外機４２には圧縮機が内蔵されており、室外機４２は、冷媒を高圧に圧縮して冷媒回路を通じて各室内機４１に送り込む。室外機４２から冷媒配管が接続され、さらに各室内機４１に接続されているため、冷媒はこれら冷媒配管を介して分配される。各室内機４１は、バルブ（電子制御膨張弁）（図示略）を調整し、それぞれの室内機４１が必要とする冷媒流量を分岐冷媒回路から取り込み、各部屋を空気調整する。
【００３３】
室内機４１は、現在温度と設定温度とから必要な冷媒流量を算出し、このリクエスト冷媒流量を室外機４２に要求する。室外機４２は各室内機４１から受信したリクエスト冷媒流量を合計し、圧縮機が送出可能な冷媒流量と比較する。続いて、室外機４２は各室内機４１に、アンサー冷媒流量として分配可能な冷媒流量を送信する。各室内機４１は、受信したアンサー冷媒流量に基づいて自身のバルブを調整して冷媒を取り込む。従って、室外機４２が送出した全ての冷媒流量は、各室内機４１に対して送信されたアンサー冷媒流量に略比例して、各バルブから分配される。
【００３４】
室外機４２の圧縮機は、全ての室内機４１へ高圧の冷媒を送り込むために大きな圧縮動力を必要としているので、全消費電力量のうちのほとんどの電力量が、室外機４２の圧縮機によって消費されており、各室内機４１が消費する電力量は小さい。一方、室内機４１においては、制御量に応じて上述したバルブを調整するだけなので、ほとんど電力は消費しない。なお、室内ファンモータ（図示略）の消費電力量は、圧縮機と比較して無視できるくらい小さい。
【００３５】
室外機４２の消費電力量は、空調制御監視装置Ｇ１，Ｇ２，Ｇ３の消費電力量の大半を占めるが、室外機４２は複数の室内機４１、つまり複数の部屋（テナント）が共用して使用している。従って、室外機４２の消費電力量を、室内機間のエネルギー相対使用量に比例して按分して算出することによってテナント毎の消費電力量がわかり、これに基づいてテナント毎の室外機４２の消費電力に対する料金の負担配分を決定できる。本実施形態においては、この室内機間のエネルギー相対使用量を運転量情報Ｒｍｋという相対量として示す。
【００３６】
また、運転量を算出する第２の方法は、運転時間によって運転量情報を決定する。例えば、空調制御監視装置Ｇ１，Ｇ２，Ｇ３が各室内機４１のリモコンでの運転時間を一定時間ごとにモニターしていき積分し、運転時間に定格呼称容量をかけたものを、所定期間における室内機４１の運転量情報として扱う。この場合には、大きい室内機４１と小さい室内機４１とが同一時間運転した場合のエネルギー相対使用量の相違を表現することができる。
上述したような方法により運転量情報を算出することができるが、運転量情報の算出方法は特に限定されず、これら以外の方法であってもよい。
【００３７】
また、空調制御監視装置Ｇ１，Ｇ２，Ｇ３は、上述のように算出した消費電力量を、クライアント端末２からの要求に応じて、ＷＥＢブラウザで読み取り可能な形式でクライアント端末２に出力する。なお、本実施形態においては、クライアント端末２がＷＥＢブラウザによって消費電力量の情報を表示することとして説明するが、表示の形式はこれに限定されない。
【００３８】
上記のことから、複数の室内機４１が、複数のテナントに配置され、共通の室外機を使用する場合であっても、上述したように按分計算することによって、各室外機４２の消費電力量をテナント毎に割り振ることができる。
【００３９】
次に、上記構成を備える空調制御監視システム１の作用について説明する。
まず、それぞれの空調制御監視装置Ｇ１，Ｇ２，Ｇ３には、配下の室内機４１から所定のタイミングでそれぞれの運転状態の情報が入力される。例えば、空調制御監視装置Ｇ１の空調制御ネットワーク通信部３２において、配下の室内機４１−１１，４１−１２，４１−１３，４１−１４から所定のタイミングで運転状態の情報を取得する。空調制御ネットワーク通信部３２は、取得した運転状態の情報を運転量算出部３３に出力する。
【００４０】
また、電力計測部３０ＡによってグループＡに属する室外機４２−１，４２−２の合計の消費電力が計測されると、空調制御監視装置Ｇ１に出力される。また、電力計測部３０ＢによってグループＢに属する室外機４２−３と全ての室内機４１との合計の消費電力が計測され、空調制御監視装置Ｇ３に出力される。
【００４１】
各空調制御監視装置Ｇ１，Ｇ２，Ｇ３の動作は同様であるため、ここでは空調制御監視装置Ｇ１の動作に着目して説明する。
グループＡの消費電力量情報が電力計測部３０Ａから空調制御監視装置Ｇ１に入力されると、図２に示すように、電力量取得部３１に取得される。この消費電力量情報は、電力量取得部３１から第１情報管理部３４に出力され、第１情報管理部３４に格納される。
【００４２】
また、各室内機４１−１１，４１−１２，４１−１３，４１−１４から出力された運転状態の情報に基づいて、運転量算出部３３において各室内機４１−１１，４１−１２，４１−１３，４１−１４の運転量情報が算出され、算出された運転量情報は、第１情報管理部３４に出力される。第１情報管理部３４において、消費電力量情報と運転量情報とが対応付けられ、この対応情報がビル管理通信ネットワーク５を介して他の空調制御監視装置Ｇ２及びＧ３に出力される。
【００４３】
また、これとともに、他の空調制御監視装置Ｇ２及びＧ３の第１情報管理部３４から出力される消費電力量情報及び運転量情報は、ビル管理通信ネットワーク５を介して送信され、空調制御監視装置Ｇ１によって受信される。他の空調制御監視装置Ｇ２及びＧ３から出力された消費電力量情報及び運転量情報は、空調制御監視装置Ｇ１の第２情報管理部３５に格納される。
このように、各空調制御監視装置Ｇ１，Ｇ２，Ｇ３のそれぞれの間において、運転量情報と消費電力量情報とが送受信され、各情報の共有化がなされる。
【００４４】
空調制御監視装置Ｇ１では、電力量按分部３６は、第１情報管理部３４に格納された消費電力量情報及び運転量情報と、第２情報管理部３５に格納された消費電力量情報及び運転量情報とに基づいて、配下の室内機４１の消費電力量が按分する。具体的には、空調制御監視装置Ｇ１の室内機４１−１１の消費電力量Ｐ１１は、上述した（１）式に基づいて生成される以下の（２）式によって算出される。ここで、Ｒ１１は室内機４１−１１の運転量情報、Ｗは消費電力量情報、ｋは配下の室内機の個数に対応する情報、ｍは空調制御監視装置の個数に対応する情報である。
【００４５】
【数２】
2011047564.tif 000004
【００４６】
按分された結果、各室内機の消費電力量の情報は、ＷＥＢサーバ３７に出力される。各室内機の消費電力量の情報は、クライアント端末２のクライアント通信部２１に取得されると、クライアント端末２の表示装置に表示される。
【００４７】
以上説明してきたように、本発明に係る空調制御監視システム１によれば、各空調制御監視装置Ｇ１，Ｇ２，Ｇ３は、全ての室内機４１の運転量情報と、全ての室内機４１及び室外機４２の全消費電力量とを取得するので、配下の室内機４１の運転量情報を全室内機４１の運転量情報で按分することで、配下の各室内機４１の消費電力量を容易に正確に算出することができる。
【００４８】
これにより、各空調制御監視装置Ｇ１，Ｇ２，Ｇ３が配下とする室内機４１及び室外機４２のグループと、消費電力量を計測するグループとが異なっていたとしても、あるいは空調制御監視装置Ｇ１，Ｇ２，Ｇ３に対する室内機４１と室外機４２とのグルーピングの変更、空調機４の追加等が生じたとしても、各空調制御監視装置Ｇ１，Ｇ２，Ｇ３は、全ての室内機４１の運転量情報と全消費電力量情報とを取得できる。
したがって、電源設備業者は、空調設備業者によって設定された室内機４１や室外機４２の設置状態に拘わらず、室外機４１及び室外機４２を自由にグルーピングして、構成された全てのグループにそれぞれ電力計測部３０Ａ，３０Ｂを設置することができ、設置作業を容易にすることができる。
【００４９】
〔変形例〕
なお、本実施形態においては、電力計測部３０Ａ，３０Ｂから出力される消費電力量情報は、それぞれ異なる空調制御監視装置Ｇ１及びＧ３に出力することとしていたが、電力計測部３０Ａ，３０Ｂの消費電力量情報の出力方法はこれに限定されない。例えば、電力計測部３０Ａ，３０Ｂから出力される消費電力量情報は全て同一の空調制御監視装置（例えば、空調制御監視装置Ｇ１）に出力させることとしてもよい。
このように、複数の電力計測部から出力される消費電力量情報を１つの空調制御監視装置に入力させる場合には、複数の電力計測部の配置位置は、消費電力量情報を入力させる１つの空調制御監視装置との距離に応じて決定すればよいこととなる。これにより、電力計測部の設置場所を集中させることができる。
【００５０】
なお、本実施形態においては、クライアント端末２と各空調制御監視装置Ｇ１，Ｇ２，Ｇ３との通信はウェブ（ＷＥＢ）を使用し、クライアント端末２においてＷＥＢブラウザを用いて、空調制御監視装置Ｇ１，Ｇ２，Ｇ３の制御を行うこととしていたが、クライアント端末２において使用するソフトウェアはＷＥＢブラウザに限定されない。例えば、クライアント端末２と空調制御監視装置Ｇ１，Ｇ２，Ｇ３との通信を可能とする専用のソフトウェアであってもよいこととする。また、このような場合には、空調制御監視装置Ｇ１，Ｇ２，Ｇ３において、ＷＥＢサーバを不要とし、同様の機能を有効にする専用のソフトウェア（プログラム）とする。
【００５１】
なお、本実施形態においては、室内機４１及び室外機４２から形成されるグループを２つとし、グループに設けられる電力計測部を２つとしていたが、これに限定されない。グループは、全ての室内外機を１つとして構成してもよいし、３つ以上のグループに分けることとしてもよい。
また、本実施形態においては、クライアント端末２との通信と、空調制御管理装置間のｆｓｏｃｋ通信とをビル管理ネットワーク通信部３８を介して行うこととしていたが、これに限定されない。例えば、それぞれの通信処理を異なる通信手段によって実行させることとしてもよい。
【符号の説明】
【００５２】
Ａ、Ｂ  グループ
Ｇ１，Ｇ２，Ｇ３  空調制御監視装置
１  空調制御監視システム
３０Ａ，３０Ｂ  電力計測部
３１  電力量取得部
３２  空調制御ネットワーク通信部
３３  運転量算出部
３４  第１情報管理部
３５  第２情報管理部
３６  電力量按分部
３７  ＷＥＢサーバ
３８  ビル管理ネットワーク通信部
４１、４１−ｍｋ（ｍ＝１，２，３及びｋ＝１，２，３，４）  室内機
４２、４２−１，４２−２，４２−３  室外機
【図１】
2011047564.tif 000005
【図２】
2011047564.tif 000006
【図３】
2011047564.tif 000007